(57)【要約】【課題】ホストシステムのＴＳ入力ＩＦが１系統である場合でも、ダイバシティ処理と２チャンネル同時受信処理とを実行することができるデジタル放送受信装置を提供すること。【解決手段】２チャンネル同時受信処理において、チューナーモジュールは、第１、２ＴＳのうちの一方のＴＳの複数のＴＳパケットをホストシステムに出力し、他方のＴＳに含まれる複数のＴＳパケットのうちの特定ＴＳパケットのＰＩＤの値を第１設定値から第２設定値に変換し、第１、２設定値をＰＩＤ変換テーブルに格納する。チューナーモジュールは、他方のＴＳの複数のＴＳパケットをバッファに格納し、一方のＴＳの複数のＴＳパケットをホストシステムに出力した後に、他方のＴＳの複数のＴＳパケットをホストシステムに出力する。ホストシステムは、ＰＩＤ変換テーブルを参照することにより、他方のＴＳの特定ＴＳパケットのＰＩＤの値を認識する。【選択図】図２
2010087763.tif 000002
【特許請求の範囲】
【請求項１】
１系統のＴＳ（トランスポートストリーム）入力ＩＦ（インターフェース）を有するホストシステムと、
第１、２チューナーと第１、２復調器とＰＩＤ変換器とを備え、前記第１、２チューナーが同一の放送波を受信するダイバシティ処理、又は、前記第１、２チューナーがそれぞれ第１、２放送波を受信する２チャンネル同時受信処理を実行するチューナーモジュールと、
を具備し、
前記ダイバシティ処理において、
前記第１復調器は、前記第１、２チューナーにより受信された前記同一の放送波のうちの、電波状況の優れた選択放送波、又は、前記同一の放送波を合成した合成放送波をＴＳに復調し、前記ＴＳに含まれる複数のＴＳパケットを前記ＴＳ入力ＩＦを介して前記ホストシステムに出力し、
前記ホストシステムは、前記ＴＳを表示装置に再生表示し、
前記２チャンネル同時受信処理において、
前記第１、２復調器は、それぞれ、前記第１、２チューナーにより受信された前記第１、２放送波を第１、２ＴＳに復調して前記ＰＩＤ変換器に出力し、
前記ＰＩＤ変換器は、ＰＩＤ変換テーブルとバッファ部とを備え、
前記第１、２ＴＳのうちの一方のＴＳに含まれる複数のＴＳパケットを前記ＴＳ入力ＩＦを介して前記ホストシステムに出力し、
他方のＴＳに含まれる複数のＴＳパケットのうちの特定ＴＳパケットのＰＩＤ（パケットＩＤ）の値を、第１設定値から、前記一方のＴＳの複数のＴＳパケットのＰＩＤの値に重複しない第２設定値に変換し、前記第１設定値と前記第２設定値とを前記ＰＩＤ変換テーブルに格納し、前記他方のＴＳの複数のＴＳパケットを前記バッファに格納し、
前記一方のＴＳの複数のＴＳパケットを前記ＴＳ入力ＩＦを介して前記ホストシステムに出力した後に、前記バッファに格納された前記他方のＴＳの複数のＴＳパケットを前記ＴＳ入力ＩＦを介して前記ホストシステムに出力し、
前記ホストシステムは、前記ＰＩＤ変換テーブルを参照して前記他方のＴＳの前記特定ＴＳパケットのＰＩＤの値を前記第２設定値から前記第１設定値に変換し、前記他方のＴＳを前記表示装置に再生表示する、
デジタル放送受信装置。
【請求項２】
前記ＰＩＤ変換器は、第１、２ＰＩＤ検出部と第１、２ＰＩＤ変換部とを更に備え、
前記第１、２チューナーのうちの一方のチューナーが前記第１、２放送波のうちの一方の放送波を受信しているときに、前記２チャンネル同時受信処理の実行として、前記第１、２チューナーのうちの他方のチューナーが受信する放送波を前記一方の放送波から前記第１、２放送波のうちの他方の放送波に変更する場合、
前記第１、２ＰＩＤ検出部のうちの一方のＰＩＤ検出部は、前記一方のＴＳに含まれる前記複数のＴＳパケットのＰＩＤを検出し、他方のＰＩＤ検出部は、前記他方のＴＳに含まれる前記複数のＴＳパケットのＰＩＤを検出して前記ＰＩＤ変換テーブルに格納し、
前記第１、２ＰＩＤ変換部のうちの一方のＰＩＤ変換部は、前記一方のＴＳの複数のＴＳパケットを前記ＴＳ入力ＩＦを介して前記ホストシステムに出力し、
前記ホストシステムは、前記一方のＴＳを前記表示装置に再生表示し、
前記第１、２ＰＩＤ変換部のうちの他方のＰＩＤ変換部は、前記他方のＴＳの前記特定ＴＳパケットのＰＩＤの値を前記第１設定値から前記第２設定値に変換し、前記ＰＩＤ変換テーブルに前記他方のＴＳの前記特定ＴＳパケットのＰＩＤに対応付けて前記第２設定値を格納し、前記他方のＴＳの複数のＴＳパケットを前記バッファに格納し、
前記一方のＴＳの複数のＴＳパケットが前記ホストシステムに出力された後に、前記他方のＰＩＤ変換部は、前記バッファに格納された前記他方のＴＳの複数のＴＳパケットを前記ＴＳ入力ＩＦを介して前記ホストシステムに出力する、
請求項１に記載のデジタル放送受信装置。
【請求項３】
前記ＰＩＤ変換器は、制御部を更に備え、
前記ＰＩＤ変換テーブルは、第１、２ＰＩＤ変換テーブルを含み、
前記一方のＰＩＤ検出部は、前記一方のＴＳに含まれる前記複数のＴＳパケットのＰＩＤを検出して前記第１、２ＰＩＤ変換テーブルのうちの一方のＰＩＤ変換テーブルに格納し、
前記他方のＰＩＤ検出部は、前記他方のＴＳに含まれる前記複数のＴＳパケットのＰＩＤを検出して前記第１、２ＰＩＤ変換テーブルのうちの他方のＰＩＤ変換テーブルに格納し、
前記制御部は、前記一方のＰＩＤ変換テーブルに前記一方のＴＳの複数のＴＳパケットのＰＩＤに対応付けて出力制御フラグを設定し、前記他方のＰＩＤ変換テーブルに前記他方のＴＳの前記特定ＴＳパケットのＰＩＤに対応付けて変換制御フラグを設定し、
前記出力制御フラグが前記一方のＴＳの複数のＴＳパケットのＰＩＤに対応付けて前記一方のＰＩＤ変換テーブルに設定されているとき、前記一方のＰＩＤ変換部は、前記一方のＴＳの複数のＴＳパケットを前記ＴＳ入力ＩＦを介して前記ホストシステムに出力し、
前記変換制御フラグが前記他方のＴＳの前記特定ＴＳパケットのＰＩＤに対応付けて前記他方のＰＩＤ変換テーブルに設定されているとき、前記第１、２ＰＩＤ変換部のうちの他方のＰＩＤ変換部は、前記他方のＴＳの前記特定ＴＳパケットのＰＩＤの値を前記第１設定値から前記第２設定値に変換し、前記他方のＰＩＤ変換テーブルに前記他方のＴＳの前記特定ＴＳパケットのＰＩＤに対応付けて前記第２設定値を格納し、前記他方のＴＳの複数のＴＳパケットを前記バッファに格納し、
前記一方のＴＳの複数のＴＳパケットが前記ホストシステムに出力された後に、前記制御部は、前記一方のＰＩＤ変換テーブルに前記一方のＴＳの複数のＴＳパケットのＰＩＤに対応付けて設定された前記出力制御フラグを解除し、前記他方のＰＩＤ変換テーブルに前記他方のＴＳの複数のＴＳパケットのＰＩＤに対応付けて前記出力制御フラグを設定し、
前記出力制御フラグが前記他方のＴＳの複数のＴＳパケットのＰＩＤに対応付けて前記他方のＰＩＤ変換テーブルに設定されているとき、前記他方のＰＩＤ変換部は、前記バッファに格納された前記他方のＴＳの複数のＴＳパケットを前記ＴＳ入力ＩＦを介して前記ホストシステムに出力し、
前記ホストシステムは、前記変換制御フラグが設定された前記他方のＰＩＤ変換テーブルを参照して前記他方のＴＳの前記特定ＴＳパケットのＰＩＤの値を前記第２設定値から前記第１設定値に変換し、前記他方のＴＳを前記表示装置に再生表示する、
請求項２に記載のデジタル放送受信装置。
【請求項４】
前記一方のＴＳの複数のＴＳパケットが前記ホストシステムに出力された後に、前記制御部は、前記一方のＰＩＤ変換テーブルに前記一方のＴＳの複数のＴＳパケットのＰＩＤに対応付けて設定された前記出力制御フラグを解除し、前記他方のＰＩＤ変換テーブルに前記他方のＴＳの前記特定ＴＳパケットのＰＩＤに対応付けて前記出力制御フラグを設定し、
前記出力制御フラグが前記他方のＴＳの前記特定ＴＳパケットのＰＩＤに対応付けて前記他方のＰＩＤ変換テーブルに設定されているとき、前記他方のＰＩＤ変換部は、前記バッファに格納された前記他方のＴＳの前記特定ＴＳパケットを前記ＴＳ入力ＩＦを介して前記ホストシステムに出力し、
前記他方のＴＳの前記特定ＴＳパケットが前記ホストシステムに出力された後に、前記制御部は、前記他方のＰＩＤ変換テーブルに前記他方のＴＳの前記特定ＴＳパケット以外のＴＳパケットのＰＩＤに対応付けて前記出力制御フラグを設定し、
前記出力制御フラグが前記他方のＴＳの前記特定ＴＳパケット以外のＴＳパケットのＰＩＤに対応付けて前記他方のＰＩＤ変換テーブルに設定されているとき、前記他方のＰＩＤ変換部は、前記バッファに格納された前記他方のＴＳの前記特定ＴＳパケット以外のＴＳパケットを前記ＴＳ入力ＩＦを介して前記ホストシステムに出力する、
請求項３に記載のデジタル放送受信装置。
【請求項５】
前記第２チューナーが受信する放送波を前記第１放送波から前記第２放送波に変更する場合、
前記一方のＴＳは、前記第１ＴＳであり、
前記他方のＴＳは、前記第２ＴＳである、
請求項１〜４のいずれかに記載のデジタル放送受信装置。
【請求項６】
前記第１チューナーが受信する放送波を前記第２放送波から前記第１放送波に変更する場合、
前記一方のＴＳは、前記第２ＴＳであり、
前記他方のＴＳは、前記第１ＴＳである、
請求項１〜４のいずれかに記載のデジタル放送受信装置。
【請求項７】
前記第１設定値は、ＡＲＩＢの運用規定によりＰＭＴに指定された値であり、
前記第２設定値は、ワンセグ放送において前記運用規定で用いられていない値である、
請求項１〜６のいずれかに記載のデジタル放送受信装置。
【請求項８】
前記第１設定値は、１ＦＣ８であり、
前記第２設定値は、００００である、
請求項７に記載のデジタル放送受信装置。
【請求項９】
第１、２チューナーが同一の放送波を受信するダイバシティ処理において、
チューナーモジュールが、前記第１、２チューナーにより受信された前記同一の放送波のうちの、電波状況の優れた選択放送波、又は、前記同一の放送波を合成した合成放送波をＴＳに復調し、前記ＴＳに含まれる複数のＴＳパケットを１系統のＴＳ（トランスポートストリーム）入力ＩＦ（インターフェース）を介してホストシステムに出力するステップと、
前記ホストシステムが、前記ＴＳを表示装置に再生表示し、
前記第１、２チューナーがそれぞれ第１、２放送波を受信する２チャンネル同時受信処理において、
前記チューナーモジュールが、前記第１、２チューナーにより受信された前記第１、２放送波を第１、２ＴＳに復調するステップと、
前記チューナーモジュールが、前記第１、２ＴＳのうちの一方のＴＳに含まれる複数のＴＳパケットを前記ＴＳ入力ＩＦを介して前記ホストシステムに出力するステップと、
前記チューナーモジュールが、他方のＴＳに含まれる複数のＴＳパケットのうちの特定ＴＳパケットのＰＩＤ（パケットＩＤ）の値を、第１設定値から、前記一方のＴＳの複数のＴＳパケットのＰＩＤの値に重複しない第２設定値に変換するステップと、
前記チューナーモジュールが、前記第１設定値と前記第２設定値とをＰＩＤ変換テーブルに格納するステップと、
前記チューナーモジュールが、前記他方のＴＳの複数のＴＳパケットをバッファに格納するステップと、
前記チューナーモジュールが、前記一方のＴＳの複数のＴＳパケットを前記ＴＳ入力ＩＦを介して前記ホストシステムに出力した後に、前記バッファに格納された前記他方のＴＳの複数のＴＳパケットを前記ＴＳ入力ＩＦを介して前記ホストシステムに出力するステップと、
前記ホストシステムが、前記ＰＩＤ変換テーブルを参照して前記他方のＴＳの前記特定ＴＳパケットのＰＩＤの値を前記第２設定値から前記第１設定値に変換し、前記他方のＴＳを前記表示装置に再生表示するステップと、
を具備するデジタル放送受信方法。
【請求項１０】
前記第１、２チューナーのうちの一方のチューナーが前記第１、２放送波のうちの一方の放送波を受信しているときに、前記２チャンネル同時受信処理の実行として、前記第１、２チューナーのうちの他方のチューナーが受信する放送波を前記一方の放送波から前記第１、２放送波のうちの他方の放送波に変更する場合、
前記チューナーモジュールが、前記一方のＴＳに含まれる前記複数のＴＳパケットのＰＩＤを検出し、前記他方のＴＳに含まれる前記複数のＴＳパケットのＰＩＤを検出して前記ＰＩＤ変換テーブルに格納するステップと、
前記チューナーモジュールが、前記一方のＴＳの複数のＴＳパケットを前記ＴＳ入力ＩＦを介して前記ホストシステムに出力するステップと、
前記ホストシステムが、前記一方のＴＳを前記表示装置に再生表示するステップと、
前記チューナーモジュールが、前記他方のＴＳの前記特定ＴＳパケットのＰＩＤの値を前記第１設定値から前記第２設定値に変換し、前記ＰＩＤ変換テーブルに前記他方のＴＳの前記特定ＴＳパケットのＰＩＤに対応付けて前記第２設定値を格納し、前記他方のＴＳの複数のＴＳパケットを前記バッファに格納するステップと、
前記一方のＴＳの複数のＴＳパケットが前記ホストシステムに出力された後に、前記チューナーモジュールが、前記バッファに格納された前記他方のＴＳの複数のＴＳパケットを前記ＴＳ入力ＩＦを介して前記ホストシステムに出力するステップと、
を更に具備する請求項９に記載のデジタル放送受信方法。
【請求項１１】
前記ＰＩＤ変換テーブルは、第１、２ＰＩＤ変換テーブルを含み、
前記チューナーモジュールが、前記一方のＴＳに含まれる前記複数のＴＳパケットのＰＩＤを検出して前記第１、２ＰＩＤ変換テーブルのうちの一方のＰＩＤ変換テーブルに格納するステップと、
前記チューナーモジュールが、前記他方のＴＳに含まれる前記複数のＴＳパケットのＰＩＤを検出して前記第１、２ＰＩＤ変換テーブルのうちの他方のＰＩＤ変換テーブルに格納するステップと、
前記チューナーモジュールが、前記一方のＰＩＤ変換テーブルに前記一方のＴＳの複数のＴＳパケットのＰＩＤに対応付けて出力制御フラグを設定し、前記他方のＰＩＤ変換テーブルに前記他方のＴＳの前記特定ＴＳパケットのＰＩＤに対応付けて変換制御フラグを設定するステップと、
前記出力制御フラグが前記一方のＴＳの複数のＴＳパケットのＰＩＤに対応付けて前記一方のＰＩＤ変換テーブルに設定されているとき、前記チューナーモジュールが、前記一方のＴＳの複数のＴＳパケットを前記ＴＳ入力ＩＦを介して前記ホストシステムに出力するステップと、
前記変換制御フラグが前記他方のＴＳの前記特定ＴＳパケットのＰＩＤに対応付けて前記他方のＰＩＤ変換テーブルに設定されているとき、前記チューナーモジュールが、前記他方のＴＳの前記特定ＴＳパケットのＰＩＤの値を前記第１設定値から前記第２設定値に変換し、前記他方のＰＩＤ変換テーブルに前記他方のＴＳの前記特定ＴＳパケットのＰＩＤに対応付けて前記第２設定値を格納し、前記他方のＴＳの複数のＴＳパケットを前記バッファに格納するステップと、
前記一方のＴＳの複数のＴＳパケットが前記ホストシステムに出力された後に、前記チューナーモジュールが、前記一方のＰＩＤ変換テーブルに前記一方のＴＳの複数のＴＳパケットのＰＩＤに対応付けて設定された前記出力制御フラグを解除し、前記他方のＰＩＤ変換テーブルに前記他方のＴＳの複数のＴＳパケットのＰＩＤに対応付けて前記出力制御フラグを設定するステップと、
前記出力制御フラグが前記他方のＴＳの複数のＴＳパケットのＰＩＤに対応付けて前記他方のＰＩＤ変換テーブルに設定されているとき、前記チューナーモジュールが、前記バッファに格納された前記他方のＴＳの複数のＴＳパケットを前記ＴＳ入力ＩＦを介して前記ホストシステムに出力するステップと、
前記ホストシステムが、前記変換制御フラグが設定された前記他方のＰＩＤ変換テーブルを参照して前記他方のＴＳの前記特定ＴＳパケットのＰＩＤの値を前記第２設定値から前記第１設定値に変換し、前記他方のＴＳを前記表示装置に再生表示するステップと、
を更に具備する請求項１０に記載のデジタル放送受信方法。
【請求項１２】
前記一方のＴＳの複数のＴＳパケットが前記ホストシステムに出力された後に、前記チューナーモジュールが、前記一方のＰＩＤ変換テーブルに前記一方のＴＳの複数のＴＳパケットのＰＩＤに対応付けて設定された前記出力制御フラグを解除し、前記他方のＰＩＤ変換テーブルに前記他方のＴＳの前記特定ＴＳパケットのＰＩＤに対応付けて前記出力制御フラグを設定するステップと、
前記出力制御フラグが前記他方のＴＳの前記特定ＴＳパケットのＰＩＤに対応付けて前記他方のＰＩＤ変換テーブルに設定されているとき、前記チューナーモジュールが、前記バッファに格納された前記他方のＴＳの前記特定ＴＳパケットを前記ＴＳ入力ＩＦを介して前記ホストシステムに出力するステップと、
前記他方のＴＳの前記特定ＴＳパケットが前記ホストシステムに出力された後に、前記チューナーモジュールが、前記他方のＰＩＤ変換テーブルに前記他方のＴＳの前記特定ＴＳパケット以外のＴＳパケットのＰＩＤに対応付けて前記出力制御フラグを設定するステップと、
前記出力制御フラグが前記他方のＴＳの前記特定ＴＳパケット以外のＴＳパケットのＰＩＤに対応付けて前記他方のＰＩＤ変換テーブルに設定されているとき、前記チューナーモジュールが、前記バッファに格納された前記他方のＴＳの前記特定ＴＳパケット以外のＴＳパケットを前記ＴＳ入力ＩＦを介して前記ホストシステムに出力するステップと、
を更に具備する請求項１１に記載のデジタル放送受信方法。
【請求項１３】
前記第２チューナーが受信する放送波を前記第１放送波から前記第２放送波に変更する場合、
前記一方のＴＳは、前記第１ＴＳであり、
前記他方のＴＳは、前記第２ＴＳである、
請求項９〜１２のいずれかに記載のデジタル放送受信方法。
【請求項１４】
前記第１チューナーが受信する放送波を前記第２放送波から前記第１放送波に変更する場合、
前記一方のＴＳは、前記第２ＴＳであり、
前記他方のＴＳは、前記第１ＴＳである、
請求項９〜１２のいずれかに記載のデジタル放送受信方法。
【請求項１５】
前記第１設定値は、ＡＲＩＢの運用規定によりＰＭＴに指定された値であり、
前記第２設定値は、ワンセグ放送において前記運用規定で用いられていない値である、
請求項９〜１４のいずれかに記載のデジタル放送受信方法。
【請求項１６】
前記第１設定値は、１ＦＣ８であり、
前記第２設定値は、００００である、
請求項１５に記載のデジタル放送受信方法。
【請求項１７】
請求項９〜１６のいずれかに記載のデジタル放送受信方法の前記チューナーモジュールが実行する各ステップをコンピュータに実行させるコンピュータプログラム。
【請求項１８】
請求項９〜１６のいずれかに記載のデジタル放送受信方法の前記ホストシステムが実行する各ステップをコンピュータに実行させるコンピュータプログラム。
【発明の詳細な説明】
【技術分野】
【０００１】
本発明は、ダイバシティ処理、又は、２チャンネル同時受信処理を実行するデジタル放送受信装置に関する。
【背景技術】
【０００２】
２つのチューナーが同一の放送波を受信するダイバシティ処理、又は、２つのチューナーがそれぞれ２つの放送波を受信する２チャンネル同時受信処理を実行するデジタル放送受信装置が知られている。このようなデジタル放送受信装置は、特開２００７−０４３６０９号公報（特許文献１）、特開２００８−０８５７６２号公報（特許文献２）、特開２００８−１１３４５４号公報（特許文献３）、特開２００８−１３６２１６号公報（特許文献４）などに記載されている。
【０００３】
図１は、特許文献１〜４によるデジタル放送受信装置の構成を示している。そのデジタル放送受信装置は、２系統のＴＳ（トランスポートストリーム）入力ＩＦ（インターフェース）として第１、２ＴＳ入力ＩＦを有するホストシステム１０４と、チューナーモジュール１１０と、を具備している。チューナーモジュール１１０は、第１、２チューナー（チューナー１０１ａ、１０１ｂ）と第１、２ＯＦＤＭ復調器（ＯＦＤＭ復調器１０２ａ、１０２ｂ）とを備えている。
【０００４】
チューナーモジュール１１０は、チューナー１０１ａ、１０１ｂが同一の放送波を受信するダイバシティ処理、又は、チューナー１０１ａ、１０１ｂがそれぞれ第１、２放送波を受信する２チャンネル同時受信処理を実行する。
【０００５】
まず、ダイバシティ処理について説明する。
【０００６】
ホストシステム１０４は、ダイバシティ処理実行指示をチューナーモジュール１１０に出力する。この場合、チューナーモジュール１１０は、ダイバシティ処理実行指示に応じて、ダイバシティ処理を実行する。
【０００７】
ＯＦＤＭ復調器１０２ａは、チューナー１０１ａ、１０１ｂにより受信された同一の放送波のうちの、電波状況の優れた選択放送波に対してＯＦＤＭ復調を施してＴＳを生成し、ＴＳに含まれる複数のＴＳパケットを出力する。又は、ＯＦＤＭ復調器１０２ａは、チューナー１０１ａ、１０１ｂにより受信された同一の放送波を合成した合成放送波を生成し、合成放送波に対してＯＦＤＭ復調を施してＴＳを生成し、ＴＳに含まれる複数のＴＳパケットを第１ＴＳ入力ＩＦを介してホストシステム１０４に出力する。ホストシステム１０４は、ＴＳを表示装置に再生表示する。
【０００８】
次に、２チャンネル同時受信処理について説明する。
【０００９】
ホストシステム１０４は、２チャンネル同時受信処理実行指示をチューナーモジュール１１０に出力する。この場合、チューナーモジュール１１０は、２チャンネル同時受信処理実行指示に応じて、２チャンネル同時受信処理を実行する。
【００１０】
ＯＦＤＭ復調器１０２ａ、１０２ｂは、それぞれ、チューナー１０１ａ、１０１ｂにより受信された第１、２放送波に対してＯＦＤＭ復調を施して第１、２ＴＳを生成し、第１、２ＴＳ入力ＩＦを介してホストシステム１０４に出力する。ここで、第１、２ＴＳのうちの一方のＴＳは、利用者が視聴中の放送であり、他方のＴＳは、チャンネルリストの更新に用いられるものとする。ホストシステム１０４は、一方のＴＳを表示装置に再生表示し、他方のＴＳによりチャンネルリストを更新する。
【００１１】
このように、特許文献１〜４によるデジタル放送受信装置では、ホストシステム１０４が２系統のＴＳ入力ＩＦである場合、ダイバシティ処理と２チャンネル同時受信処理とを実行することができる。
【００１２】
【特許文献１】特開２００７−０４３６０９号公報
【特許文献２】特開２００８−０８５７６２号公報
【特許文献３】特開２００８−１１３４５４号公報
【特許文献４】特開２００８−１３６２１６号公報
【発明の開示】
【発明が解決しようとする課題】
【００１３】
しかし、一般的なデジタル放送受信装置では、ホストシステムのＴＳ入力ＩＦが１系統しか用意されていない。このため、特許文献１〜４によるデジタル放送受信装置では、一般的なデジタル放送受信装置に比べて、ＴＳ入力ＩＦを介してチューナーモジュール１１０とホストシステム１０４とを結ぶ信号線が多くなってしまう。
【００１４】
一方、ホストシステムのＴＳ入力ＩＦが１系統である場合、一般的なデジタル放送受信装置では、チューナーモジュールは、第１、２ＴＳを単純に１つのＴＳとして出力することができない。その理由として、デジタル放送において、ＴＳは、ＭＰＥＧ２（Ｍｏｖｉｎｇ  Ｐｉｃｔｕｒｅ  Ｅｘｐｅｒｔｓ  Ｇｒｏｕｐ  ２）に準じているためである。ＴＳに含まれる複数のＴＳパケット（１８８バイト）の各々のヘッダ部分には、そのパケットを識別するためのパケットＩＤ（ＰＩＤ）と呼ばれる番号が記録されている。ホストシステムは、複数のＴＳパケットのＰＩＤにより、１つのＴＳを認識する。しかし、チューナーモジュールが第１、２放送波を受信したときに、第１、２ＴＳの複数のＴＳパケットには、同一のＰＩＤが存在する。このため、一般的なデジタル放送受信装置では、チューナーモジュールが第１、２ＴＳを単純に１つのＴＳとして出力した場合、ホストシステムは、１つのＴＳにおけるＰＩＤにより、第１、２ＴＳを認識することができない。
【００１５】
本発明の課題は、ホストシステムのＴＳ入力ＩＦが１系統である場合でも、ダイバシティ処理と２チャンネル同時受信処理とを実行することができるデジタル放送受信装置を提供することにある。
【課題を解決するための手段】
【００１６】
本発明のデジタル放送受信装置は、１系統のＴＳ（トランスポートストリーム）入力ＩＦ（インターフェース）を有するホストシステムと、チューナーモジュールと、を具備している。
チューナーモジュールは、第１、２チューナーと第１、２復調器とＰＩＤ変換器とを備え、第１、２チューナーが同一の放送波を受信するダイバシティ処理、又は、第１、２チューナーがそれぞれ第１、２放送波を受信する２チャンネル同時受信処理を実行する。
ダイバシティ処理において、第１復調器は、第１、２チューナーにより受信された同一の放送波のうちの、電波状況の優れた選択放送波、又は、同一の放送波を合成した合成放送波をＴＳに復調し、ＴＳに含まれる複数のＴＳパケットをＴＳ入力ＩＦを介してホストシステムに出力する。ホストシステムは、ＴＳを表示装置に再生表示する。
２チャンネル同時受信処理において、第１、２復調器は、それぞれ、第１、２チューナーにより受信された第１、２放送波を第１、２ＴＳに復調してＰＩＤ変換器に出力する。ＰＩＤ変換器は、ＰＩＤ変換テーブルとバッファ部とを備えている。第１、２ＴＳのうちの一方のＴＳに含まれる複数のＴＳパケットをホストシステムに出力する。他方のＴＳに含まれる複数のＴＳパケットのうちの特定ＴＳパケットのＰＩＤ（パケットＩＤ）の値を、第１設定値から、一方のＴＳの複数のＴＳパケットのＰＩＤの値に重複しない第２設定値に変換し、第１設定値と第２設定値とをＰＩＤ変換テーブルに格納し、他方のＴＳの複数のＴＳパケットをバッファに格納する。一方のＴＳの複数のＴＳパケットをＴＳ入力ＩＦを介してホストシステムに出力した後に、バッファに格納された他方のＴＳの複数のＴＳパケットをＴＳ入力ＩＦを介してホストシステムに出力する。ホストシステムは、ＰＩＤ変換テーブルを参照して他方のＴＳの特定ＴＳパケットのＰＩＤの値を第２設定値から第１設定値に変換し、他方のＴＳを表示装置に再生表示する。
【発明の効果】
【００１７】
以上により、本発明のデジタル放送受信装置によれば、２チャンネル同時受信処理において、チューナーモジュールは、第１、２ＴＳのうちの一方のＴＳの複数のＴＳパケットをＴＳ入力ＩＦを介してホストシステムに出力し、他方のＴＳに含まれる複数のＴＳパケットのうちの特定ＴＳパケットのＰＩＤの値を上記の第１設定値から上記の第２設定値に変換し、第１設定値と第２設定値とをＰＩＤ変換テーブルに格納する。これにより、第１、２ＴＳにおいてＰＩＤの重複を回避することができる。
【００１８】
また、本発明のデジタル放送受信装置によれば、チューナーモジュールは、他方のＴＳの複数のＴＳパケットをバッファに格納し、一方のＴＳの複数のＴＳパケットをＴＳ入力ＩＦを介してホストシステムに出力した後に、他方のＴＳの複数のＴＳパケットをＴＳ入力ＩＦを介してホストシステムに出力する。これにより、ホストシステムのＴＳ入力ＩＦが１系統である場合でも、チューナーモジュールは、２チャンネル同時受信処理を実行することができる。
【００１９】
また、本発明のデジタル放送受信装置によれば、ホストシステムは、ＰＩＤ変換テーブルを参照することにより、他方のＴＳの特定ＴＳパケットのＰＩＤの値が変換されていることを認識することができ、その値を第２設定値から第１設定値に変換する。これにより、ホストシステムのＴＳ入力ＩＦが１系統である場合でも、ホストシステムは、２チャンネル同時受信処理を実行することができる。
【００２０】
このように、本発明のデジタル放送受信装置によれば、ホストシステムのＴＳ入力ＩＦが１系統である場合でも、ダイバシティ処理と、２チャンネル同時受信処理とを実行することができる。
【００２１】
また、本発明のデジタル放送受信装置によれば、特許文献１〜４によるデジタル放送受信装置に比べて、ＴＳ入力ＩＦを介してチューナーモジュールとホストシステムとを結ぶ信号線を減らすことができる。
【発明を実施するための最良の形態】
【００２２】
以下に添付図面を参照して、本発明の実施形態によるデジタル放送受信装置について詳細に説明する。
【００２３】
図２は、本発明の実施形態によるデジタル放送受信装置の構成を示している。そのデジタル放送受信装置は、１系統のＴＳ（トランスポートストリーム）入力ＩＦ（インターフェース）を有するホストシステム４と、チューナーモジュール１０と、を具備している。
【００２４】
ホストシステム４は、コンピュータであり、図示しないＣＰＵ、記憶装置を備えている。記憶装置には、ＣＰＵに実行させるためのコンピュータプログラムが格納されている。ＣＰＵは、ホストシステム４が起動するときなどにコンピュータプログラムを記憶装置から読み取って実行する。
【００２５】
チューナーモジュール１０は、第１、２チューナー（チューナー１ａ、１ｂ）と第１、２ＯＦＤＭ復調器（ＯＦＤＭ復調器２ａ、２ｂ）とＰＩＤ変換器３とを備えている。
【００２６】
チューナーモジュール１０は、コンピュータであり、ＯＦＤＭ復調器２ａ、２ｂとＰＩＤ変換器３とはコンピュータプログラムであってもよい。この場合、チューナーモジュール１０は、図示しないＣＰＵ、記憶装置を備えている。記憶装置には、ＣＰＵに実行させるためのコンピュータプログラムが格納されている。ＣＰＵは、チューナーモジュール１０が起動するときなどにコンピュータプログラムを記憶装置から読み取って実行する。
【００２７】
チューナーモジュール１０は、チューナー１ａ、１ｂが同一の放送波を受信するダイバシティ処理、又は、チューナー１ａ、１ｂがそれぞれ第１、２放送波を受信する２チャンネル同時受信処理を実行する。
【００２８】
まず、ダイバシティ処理について説明する。
【００２９】
ホストシステム４は、ダイバシティ処理実行指示をチューナーモジュール１０に出力する。この場合、チューナーモジュール１０は、ダイバシティ処理実行指示に応じて、ダイバシティ処理を実行する。
【００３０】
ＯＦＤＭ復調器２ａは、チューナー１ａ、１ｂにより受信された同一の放送波のうちの、電波状況の優れた選択放送波に対してＯＦＤＭ復調を施してＴＳを生成し、ＴＳに含まれる複数のＴＳパケットを出力する。又は、ＯＦＤＭ復調器２ａは、チューナー１ａ、１ｂにより受信された同一の放送波を合成した合成放送波を生成し、合成放送波に対してＯＦＤＭ復調を施してＴＳを生成し、ＴＳに含まれる複数のＴＳパケットをＰＩＤ変換器３、ＴＳ入力ＩＦを介してホストシステム４に出力する。ホストシステム４は、ＴＳを表示装置に再生表示する。
【００３１】
次に、２チャンネル同時受信処理について説明する。
【００３２】
ホストシステム４は、２チャンネル同時受信処理実行指示をチューナーモジュール１０に出力する。この場合、チューナーモジュール１０は、２チャンネル同時受信処理実行指示に応じて、２チャンネル同時受信処理を実行する。
【００３３】
ＯＦＤＭ復調器２ａ、２ｂは、それぞれ、チューナー１ａ、１ｂにより受信された第１、２放送波に対してＯＦＤＭ復調を施して第１、２ＴＳを生成し、ＰＩＤ変換器３に出力する。
【００３４】
ＰＩＤ変換器３は、第１、２ＴＳのうちの一方のＴＳに含まれる複数のＴＳパケットをＴＳ入力ＩＦを介してホストシステム４に出力する。
【００３５】
ＰＩＤ変換器３は、後述するＰＩＤ変換テーブルとバッファとを備えている。ＰＩＤ変換器３は、他方のＴＳに含まれる複数のＴＳパケットのうちの特定ＴＳパケットのＰＩＤ（パケットＩＤ）の値を、第１設定値から、一方のＴＳの複数のＴＳパケットのＰＩＤに重複しない第２設定値に変換し、第１設定値と第２設定値とをＰＩＤ変換テーブルに格納する。ＰＩＤ変換器３は、他方のＴＳの複数のＴＳパケットをバッファに格納する。ＰＩＤ変換器３は、一方のＴＳの複数のＴＳパケットをＴＳ入力ＩＦを介してホストシステム４に出力した後に、バッファに格納された他方のＴＳの複数のＴＳパケットをＴＳ入力ＩＦを介してホストシステム４に出力する。
【００３６】
ホストシステム４は、一方のＴＳを表示装置に再生表示する。その後に、ホストシステム４は、ＰＩＤ変換テーブルを参照して他方のＴＳの特定ＴＳパケットのＰＩＤの値を第２設定値から第１設定値に変換し、他方のＴＳを表示装置に再生表示する。
【００３７】
ここで、第１設定値は、ＡＲＩＢの運用規定によりＰＭＴに指定された値であり、“１ＦＣ８”により表される。第２設定値は、ワンセグ放送において運用規定で用いられていない値であり、“００００”により表される。
【００３８】
図３は、図２のＰＩＤ変換器３の構成を示している。ＰＩＤ変換器３は、上記のＰＩＤ変換テーブルである第１、２ＰＩＤ変換テーブル（ＰＩＤ変換テーブル３２ａ、３２ｂ）と、上記のバッファである第１、２バッファ（バッファ３４ａ、３４ｂ）とに加えて、更に、第１、２ＰＩＤ検出部（ＰＩＤ検出部３１ａ、３１ｂ）と、第１、２ＰＩＤ変換部（ＰＩＤ変換部３３ａ、３３ｂ）と、制御部３５と、を備えている。
【００３９】
本発明の実施形態によるデジタル放送受信装置の動作について、図２、３を用いて説明する。
【００４０】
（第１実施例）
まず、チューナー１ａ、１ｂが第１放送波を受信しているときに、２チャンネル同時受信処理の実行として、チューナー１ｂが受信する放送波を第１放送波から第２放送波に変更する場合について、更に図４Ａ、４Ｂを用いて説明する。
【００４１】
この場合、ＰＩＤ検出部３１ａは、第１ＴＳに含まれる複数のＴＳパケットのＰＩＤを検出してＰＩＤ変換テーブル３２ａに格納する（図４Ａ参照）。ＰＩＤ検出部３１ｂは、第２ＴＳに含まれる複数のＴＳパケットのＰＩＤを検出してＰＩＤ変換テーブル３２ｂに格納する（図４Ｂ参照）。
【００４２】
制御部３５は、ＰＩＤ変換テーブル３２ａに第１ＴＳの複数のＴＳパケットのＰＩＤに対応付けて出力制御フラグ“１”を設定し（図４Ａ参照）、ＰＩＤ変換テーブル３２ｂに第２ＴＳの特定ＴＳパケットのＰＩＤに対応付けて変換制御フラグ“１”を設定する（図４Ａ参照）。
【００４３】
出力制御フラグ“１”が第１ＴＳの複数のＴＳパケットのＰＩＤに対応付けてＰＩＤ変換テーブル３２ａに設定されているとき、ＰＩＤ変換部３３ａは、第１ＴＳの複数のＴＳパケットをバッファ３４ａ、ＴＳ入力ＩＦを介してホストシステム４に出力する。
【００４４】
ホストシステム４は、第１ＴＳを表示装置に再生表示する。
【００４５】
変換制御フラグ“１”が第２ＴＳの特定ＴＳパケットのＰＩＤに対応付けてＰＩＤ変換テーブル３２ｂに設定されているとき、ＰＩＤ変換部３３ｂは、第２ＴＳの特定ＴＳパケットのＰＩＤの値を第１設定値“１ＦＣ８”から第２設定値“００００”に変換し、ＰＩＤ変換テーブル３２ｂに第２ＴＳの特定ＴＳパケットのＰＩＤに対応付けて第２設定値“００００”を格納する。また、ＰＩＤ変換部３３ｂは、第２ＴＳの複数のＴＳパケットをバッファ３４ｂに格納する。
【００４６】
第１ＴＳの複数のＴＳパケットがホストシステム４に出力された後に、制御部３５は、ＰＩＤ変換テーブル３２ａに第１ＴＳの複数のＴＳパケットのＰＩＤに対応付けて設定された出力制御フラグを解除する。即ち、出力制御フラグを“１”から“０”とする。制御部３５は、ＰＩＤ変換テーブル３２ｂに第２ＴＳの特定ＴＳパケットのＰＩＤに対応付けて出力制御フラグ“１”を設定する。
【００４７】
出力制御フラグ“１”が第２ＴＳの特定ＴＳパケットのＰＩＤに対応付けてＰＩＤ変換テーブル３２ｂに設定されているとき、ＰＩＤ変換部３３ｂは、バッファ３４ｂに格納された第２ＴＳの特定ＴＳパケットをＴＳ入力ＩＦを介してホストシステム４に出力する。
【００４８】
第２ＴＳの特定ＴＳパケットがホストシステム４に出力された後に、制御部３５は、ＰＩＤ変換テーブル３２ｂに第２ＴＳの特定ＴＳパケット以外のＴＳパケットのＰＩＤに対応付けて出力制御フラグ“１”を設定する。
【００４９】
出力制御フラグ“１”が第２ＴＳの特定ＴＳパケット以外のＴＳパケットのＰＩＤに対応付けてＰＩＤ変換テーブル３２ｂに設定されているとき、ＰＩＤ変換部３３ｂは、バッファ３４ｂに格納された第２ＴＳの特定ＴＳパケット以外のＴＳパケットをＴＳ入力ＩＦを介してホストシステム４に出力する。
【００５０】
ホストシステム４は、変換制御フラグ“１”が設定されたＰＩＤ変換テーブル３２ｂを参照して第２ＴＳの特定ＴＳパケットのＰＩＤの値を第２設定値“００００”から第１設定値“１ＦＣ８”に変換し、第２ＴＳを表示装置に再生表示する。
【００５１】
（第２実施例）
次に、チューナー１ａ、１ｂが第２放送波を受信しているときに、２チャンネル同時受信処理の実行として、チューナー１ａが受信する放送波を第２放送波から第１放送波に変更する場合について、図４Ａ、４Ｂに代えて、更に図５Ａ、５Ｂを用いて説明する。
【００５２】
この場合、ＰＩＤ検出部３１ａは、第１ＴＳに含まれる複数のＴＳパケットのＰＩＤを検出してＰＩＤ変換テーブル３２ａに格納する（図５Ａ参照）。ＰＩＤ検出部３１ｂは、第２ＴＳに含まれる複数のＴＳパケットのＰＩＤを検出してＰＩＤ変換テーブル３２ｂに格納する（図５Ｂ参照）。
【００５３】
制御部３５は、ＰＩＤ変換テーブル３２ｂに第２ＴＳの複数のＴＳパケットのＰＩＤに対応付けて出力制御フラグを設定し、ＰＩＤ変換テーブル３２ａに第１ＴＳの特定ＴＳパケットのＰＩＤに対応付けて変換制御フラグを設定する。
【００５４】
出力制御フラグ“１”が第２ＴＳの複数のＴＳパケットのＰＩＤに対応付けてＰＩＤ変換テーブル３２ｂに設定されているとき、ＰＩＤ変換部３３ｂは、第２ＴＳの複数のＴＳパケットをバッファ３４ｂ、ＴＳ入力ＩＦを介してホストシステム４に出力する。
【００５５】
ホストシステム４は、第２ＴＳを表示装置に再生表示する。
【００５６】
変換制御フラグ“１”が第１ＴＳの特定ＴＳパケットのＰＩＤに対応付けてＰＩＤ変換テーブル３２ａに設定されているとき、ＰＩＤ変換部３３ａは、第１ＴＳの特定ＴＳパケットのＰＩＤの値を第１設定値“１ＦＣ８”から第２設定値“００００”に変換し、ＰＩＤ変換テーブル３２ａに第１ＴＳの特定ＴＳパケットのＰＩＤに対応付けて第２設定値“００００”を格納する。また、ＰＩＤ変換部３３ａは、第１ＴＳの複数のＴＳパケットをバッファ３４ａに格納する。
【００５７】
第２ＴＳの複数のＴＳパケットがホストシステム４に出力された後に、制御部３５は、ＰＩＤ変換テーブル３２ｂに第２ＴＳの複数のＴＳパケットのＰＩＤに対応付けて設定された出力制御フラグを解除する。即ち、出力制御フラグを“１”から“０”とする。制御部３５は、ＰＩＤ変換テーブル３２ａに第１ＴＳの特定ＴＳパケットのＰＩＤに対応付けて出力制御フラグ“１”を設定する。
【００５８】
出力制御フラグ“１”が第１ＴＳの特定ＴＳパケットのＰＩＤに対応付けてＰＩＤ変換テーブル３２ａに設定されているとき、ＰＩＤ変換部３３ａは、バッファ３４ａに格納された第１ＴＳの特定ＴＳパケットをＴＳ入力ＩＦを介してホストシステム４に出力する。
【００５９】
第１ＴＳの特定ＴＳパケットがホストシステム４に出力された後に、制御部３５は、ＰＩＤ変換テーブル３２ａに第１ＴＳの特定ＴＳパケット以外のＴＳパケットのＰＩＤに対応付けて出力制御フラグ“１”を設定する。
【００６０】
出力制御フラグ“１”が第１ＴＳの特定ＴＳパケット以外のＴＳパケットのＰＩＤに対応付けてＰＩＤ変換テーブル３２ａに設定されているとき、ＰＩＤ変換部３３ａは、バッファ３４ａに格納された第１ＴＳの特定ＴＳパケット以外のＴＳパケットをＴＳ入力ＩＦを介してホストシステム４に出力する。
【００６１】
ホストシステム４は、変換制御フラグ“１”が設定されたＰＩＤ変換テーブル３２ａを参照して第１ＴＳの特定ＴＳパケットのＰＩＤの値を第２設定値“００００”から第１設定値“１ＦＣ８”に変換し、第１ＴＳを表示装置に再生表示する。
【００６２】
以上の説明により、本発明の実施形態によるデジタル放送受信装置によれば、２チャンネル同時受信処理において、チューナーモジュール１０は、第１、２ＴＳのうちの一方のＴＳの複数のＴＳパケットをＴＳ入力ＩＦを介してホストシステムに出力し、他方のＴＳに含まれる複数のＴＳパケットのうちの特定ＴＳパケットのＰＩＤの値を上記の第１設定値から上記の第２設定値に変換し、第１設定値と第２設定値とをＰＩＤ変換テーブルに格納する。これにより、第１、２ＴＳにおいてＰＩＤの重複を回避することができる。
【００６３】
また、本発明の実施形態によるデジタル放送受信装置によれば、チューナーモジュール１０は、他方のＴＳの複数のＴＳパケットをバッファに格納し、一方のＴＳの複数のＴＳパケットをＴＳ入力ＩＦを介してホストシステム４に出力した後に、他方のＴＳの複数のＴＳパケットをＴＳ入力ＩＦを介してホストシステム４に出力する。これにより、ホストシステムのＴＳ入力ＩＦが１系統である場合でも、チューナーモジュール１０は、２チャンネル同時受信処理を実行することができる。
【００６４】
また、本発明の実施形態によるデジタル放送受信装置によれば、ホストシステム４は、ＰＩＤ変換テーブルを参照することにより、他方のＴＳの特定ＴＳパケットのＰＩＤの値が変換されていることを認識することができ、その値を第２設定値から第１設定値に変換する。これにより、ホストシステムのＴＳ入力ＩＦが１系統である場合でも、ホストシステム４は、２チャンネル同時受信処理を実行することができる。
【００６５】
このように、本発明の実施形態によるデジタル放送受信装置によれば、ホストシステム４のＴＳ入力ＩＦが１系統である場合でも、ダイバシティ処理と、２チャンネル同時受信処理とを実行することができる。
【００６６】
また、本発明の実施形態によるデジタル放送受信装置によれば、特許文献１〜４によるデジタル放送受信装置に比べて、ＴＳ入力ＩＦを介してチューナーモジュールとホストシステムとを結ぶ信号線を減らすことができる。
【００６７】
なお、本発明の実施形態によるデジタル放送受信装置では、ＰＩＤ変換部３は、チューナーモジュール１０に内蔵されているが、２チャンネル同時受信処理を実行するために使用されるものとして、チューナーモジュール１０とホストシステム４との間に設けられていてもよい。また、ＰＩＤ変換部３は、ＯＦＤＭ復調部２ａに内蔵されていてもよい。
【図面の簡単な説明】
【００６８】
【図１】図１は、特許文献１〜４によるデジタル放送受信装置の構成を示している。
【図２】図２は、本発明の実施形態によるデジタル放送受信装置の構成を示している。
【図３】図３は、図２のＰＩＤ変換器３の構成を示している。
【図４Ａ】図４Ａは、本発明の実施形態として第１実施例によるデジタル放送受信装置の動作に適用されるＰＩＤ変換テーブル３２ａの初期状態を示している。
【図４Ｂ】図４Ｂは、本発明の実施形態として第１実施例によるデジタル放送受信装置の動作に適用されるＰＩＤ変換テーブル３２ｂの初期状態を示している。
【図５Ａ】図５Ａは、本発明の実施形態として第２実施例によるデジタル放送受信装置の動作に適用されるＰＩＤ変換テーブル３２ａの初期状態を示している。
【図５Ｂ】図５Ｂは、本発明の実施形態として第２実施例によるデジタル放送受信装置の動作に適用されるＰＩＤ変換テーブル３２ｂの初期状態を示している。
【符号の説明】
【００６９】
１ａ    ＲＦチューナー、
１ｂ    ＲＦチューナー、
２ａ    ＯＦＤＭ復調器、
２ｂ    ＯＦＤＭ復調器、
３      ＰＩＤ変換器、
４      ホストシステム（再生機能）、
１０    チューナーモジュール、
３１ａ    ＰＩＤ検出部、
３１ｂ    ＰＩＤ検出部、
３２ａ    ＰＩＤ変換テーブル、
３２ｂ    ＰＩＤ変換テーブル、
３３ａ    ＰＩＤ変換部、
３３ｂ    ＰＩＤ変換部、
３４ａ    バッファ、
３４ｂ    バッファ、
３５      制御部、
１０１ａ    ＲＦチューナー、
１０１ｂ    ＲＦチューナー、
１０２ａ    ＯＦＤＭ復調器、
１０２ｂ    ＯＦＤＭ復調器、
１０４      ホストシステム（再生機能）、
１１０    チューナーモジュール、
【図１】
2010087763.tif 000003
【図２】
2010087763.tif 000004
【図３】
2010087763.tif 000005
【図４Ａ】
2010087763.tif 000006
【図４Ｂ】
2010087763.tif 000007
【図５Ａ】
2010087763.tif 000008
【図５Ｂ】
2010087763.tif 000009